(57)【要約】【課題】直進的に通過することができ且つ風除効果を確保することができるドア装置を提供する。【解決手段】平行する内壁面を有し通路を形成している壁体３ａ，３ｂと、通路に配置された回転軸５を中心とし平面から見て時計方向または反時計方向に交互に回転し、内壁面を斜めに連絡する位置で反転する反転パネル４と、この反転パネル４の両端から通路幅方向に延設される一対の扉パネル６，７と、反転パネル４を回転させる駆動手段とを具備し、各扉パネル６，７は、反転パネル４の両端が各内壁面と連絡しているときに反転する側の通路を開き、反転パネル４がその内壁面から離れるときにその反転パネル４との隙間を遮断すべく拡張され、反転パネル４が内壁面に対して平行になるときに上記通路を遮断するように構成されていることを特徴とする。【選択図】        図１
2004183300.tif 000002
【特許請求の範囲】
【請求項１】
平行する内壁面を有し通路を形成している壁体と、上記通路に配置された回転軸を中心とし平面から見て時計方向または反時計方向に交互に回転し、両壁体を斜めに連絡する位置で反転する反転パネルと、この反転パネルの両端から通路幅方向に延設される一対の扉パネルと、上記反転パネルを回転させる駆動手段とを具備し、上記各扉パネルは、上記反転パネルの両端が上記壁体と連絡しているときに反転する側の上記通路を開き、上記反転パネルがその壁体から離れるときその反転パネルとの隙間を遮断すべく拡張され、上記反転パネルが上記壁体に対して平行になるときに上記通路を遮断するように構成されていることを特徴とするドア装置。
【請求項２】
平行する内壁面を有し通路を形成している壁体と、上記通路にその幅方向に並べて設けられ、個別には平面から見て時計方向または反時計方向に交互に回転するとともに全体としては互いに対称に動作する複数の反転パネルと、この反転パネルの両端から通路幅方向に延設される一対の扉パネルと、上記反転パネルを回転させる駆動手段とを具備し、上記各扉パネルは、上記反転パネルの端部が上記内壁面または隣接する反転パネルと連絡されているときに反転する側の上記通路を開き、上記反転パネルが上記内壁面または隣接する反転パネルから離れるときはその内壁面またはその反転パネルとの隙間を遮断すべく拡張され、各反転パネルが上記内壁面に対して平行になるときに上記通路を遮断するように構成されていることを特徴とするドア装置。
【請求項３】
上記扉パネルは円弧状に形成され且つ多層に形成された複数のパネルからなり、上記反転パネルが上記内壁面と平行に位置するときは円周方向に拡張して上記出入口を全閉し、一方の上記内壁面に向かって回転するときは縮小して上記出入口を開くように構成されている請求項１または２記載のドア装置。
【請求項４】
上記反転パネルに、開閉自在なドアが備えられている請求項１〜３のいずれか１項に記載のドア装置。
【発明の詳細な説明】
【０００１】
【発明の属する技術分野】
本発明は、建物の出入口に設置される風除効果を備えたドア装置に関するものである。
【０００２】
【従来の技術】
従来、建物内部の冷暖房効果を高める目的や建物のドラフト（煙突）効果を防止する目的でオフィスビルや公共の建物等の出入口に引戸式の自動ドアを設置することがある。
【０００３】
この種の自動ドアは、例えばエントランス部分に箱形に仕切られた区画ブースを設け、その区画ブースにおいて対向する位置に出入口を配置し、各出入口に引戸式の自動ドアを設けている（例えば、特許文献１参照）。したがって通行者はその自動ドアを直線的に通過することができる。
【０００４】
しかしながら、上記した従来の自動ドアでは、区画ブースが設けられていることによってある程度の風除効果を期待することができるものの、区画ブース内に入ろうとする通行者とすでに区画ブース内を通行している通行者が同じタイミングで各自動ドアに踏み入れた場合、或いは通行頻度が高い場合には屋内側と屋外側の自動ドアがともに開いてしまうことがあり、完全な風除効果を実現することができなかった。
【０００５】
これに対し、複数枚の回転扉を一方向に回転させる回転ドアでは、円筒状のシリンダ内で常にその回転扉によって室内と屋外が遮断されているため、上記引戸式の自動ドアに比べより確実な風除効果が得られる（例えば、特許文献２参照）。
【０００６】
【特許文献１】
特開昭５９−４７７５号公報（第（１）頁、第１図）
【特許文献２】
特開昭５２−１８０４４号公報（第（２）頁、第２図）
【０００７】
【発明が解決しようとする課題】
しかし、上記回転ドアでは、通行者は回転扉に追従して回転しながら通過しなければならないため引戸式の自動ドアのように直線的に通過することが望めない。
【０００８】
本発明は以上のような従来のドア装置における課題を考慮してなされたものであり、通行者が直線的に通過することができ、しかも確実な風除効果を得ることができるドア装置を提供するものである。
【０００９】
【課題を解決するための手段】
本発明は、平行する内壁面を有し通路を形成している壁体と、通路に配置された回転軸を中心とし平面から見て時計方向または反時計方向に交互に回転し、両壁体を斜めに連絡する位置で反転する反転パネルと、この反転パネルの両端から通路幅方向に延設される一対の扉パネルと、反転パネルを回転させる駆動手段とを具備し、上記各扉パネルは、反転パネルの両端が壁体と連絡しているときに反転する側の通路を開き、反転パネルがその壁体から離れるときその反転パネルとの隙間を遮断すべく拡張され、反転パネルが壁体に対して平行になるときに通路を遮断するように構成されているドア装置である。
【００１０】
本発明に従えば、反転パネルが一方の壁体と連絡する位置まで回転すると、または予めその位置に回転しているときに、通路両側の各出入口が開かれて通行者の進入を受け入れる。ただし、反転パネルが両内壁面を斜めに連絡しているため、通路は屋内外で遮断されている。
【００１１】
次いで、反転パネルが他方の内壁面に向けて回転すると、各出入口が徐々に閉じられるとともに反転パネルは壁体と平行する位置に近づく。それにより、通行者は通路内を直進することができる。
【００１２】
さらに、反転パネルが他方の内壁面と連絡する位置まで回転すると、出入口が開かれ通行者を送り出すことができる。このとき、反転パネルは反転して両内壁面を再び斜めに連絡し屋内外を遮断する。したがって、通行者は一方の扉パネルが出入口を開いたタイミングでドア装置に進入し、反転パネルまたは内壁面に沿って直進し、他方の扉パネルが出入口を開いたときにドア装置を通過することができる。
【００１３】
本発明は、平行する内壁面を有し通路を形成している壁体と、通路にその幅方向に並べて設けられ、個別には平面から見て時計方向または反時計方向に交互に回転するとともに全体としては互いに対称に動作する複数の反転パネルと、この反転パネルの両端から通路幅方向に延設される一対の扉パネルと、反転パネルを回転させる駆動手段とを具備し、上記各扉パネルは、反転パネルの端部が内壁面または隣接する反転パネルと連絡されているときに反転する側の上記通路を開き、反転パネルが内壁面または隣接する反転パネルから離れるときはその内壁面またはその反転パネルとの隙間を遮断すべく拡張され、各反転パネルが上記内壁面に対して平行になるときに上記通路を遮断するように構成されているドア装置である。
【００１４】
本発明に従えば、通路内に反転パネルの数だけ通路を形成することができるため、風除効果を確保したまま通行量を増加させることができるようになる。
【００１５】
本発明において、上記扉パネルを円弧状に形成され且つ多層に形成された複数のパネルで構成し、反転パネルが壁体と平行に位置するときは円周方向に拡張して出入口を全閉し、一方の内壁面に向かって回転するときは縮小して出入口を開くように構成することができる。
【００１６】
本発明において、上記反転パネルには開閉自在なドアを備えることができる。それにより、非常時等の避難通路として利用することもできる。
【００１７】
【発明の実施の形態】
以下、図面に示した実施の形態に基づいて本発明を詳細に説明する。
【００１８】
図１は、本発明に係るドア装置の構成を示す平面図である。
【００１９】
同図において、建物の外壁１ａ，１ｂの一部に出入口としての通路２が設けられている。
【００２０】
この通路２は、通行方向に沿って、また外壁１ａ，１ｂに対しては直交する方向に平行配置された二枚の側壁パネル（平行する内壁面を有する壁体）３ａ，３ｂによって仕切られている。
【００２１】
通路２内には平板からなる反転パネル４が配置されており、この反転パネル４は、外壁１ａと１ｂを結ぶ線上で通路２の中央に配置された回転軸５を回転中心として時計方向（矢印Ａ方向）または反時計方向に交互に回転することができるようになっている。
【００２２】
なお、反転パネル４は、その周囲に窓枠状に配置された金属製のフレーム枠４ａ，４ｂにガラスパネル４ｃ，４ｄが嵌め込まれて一枚板に構成されている。
【００２３】
この反転パネル４の水平方向両端には、円弧状に形成された扉パネル６および７が備えられており、扉パネル６は屋外側出入口８を、扉パネル７は屋内側出入口９をそれぞれ開閉するようになっている。
【００２４】
上記扉パネル６，７はそれぞれ同じ曲率で構成された二枚のドアパネル、具体的には外側ドアパネル６ａと内側ドアパネル６ｂ（扉パネル７については外側ドアパネル７ａと内側ドアパネル７ｂ）からなり、扉パネル６，７の幅方向長さは、扉パネル６を代表して説明すると、図１に示すように屋外側出入口８を完全に開放した状態で、側壁パネルの間隔Ｗの略１／２を開放できる長さに設定されている。
【００２５】
また、外側ドアパネル６ａにおける側壁パネル３ａ側の縁部および側壁パネル３ｂ側の縁部には、戸挟み防止のための帯状のゴムスイッチ１０がそれぞれ縦方向に貼着されている。なお、扉パネル７についても同様に、外側ドアパネル６ａおよび内側ドアパネル６ｂの縁部にゴムスイッチ１０が貼着されている。図中、Ｐｏは屋外側からドア装置を通過する通行者を示し、Ｐｉは屋内側からドア装置を通過する通行者を示している。
【００２６】
図２は上記ドア装置の駆動機構を説明する平面図である。
【００２７】
同図において、ハッチングで囲まれた範囲ＢおよびＣはそれぞれセンサ２０および２１の検知領域を示しており、屋外側出入口８（または屋内側出入口９）に接近した通行者Ｐｏ（またはＰｉ）を検知したときにコントローラ２２に対して検知信号を与え、この検知信号を受けたコントローラ２２は後述するモータ２３を制御して反転パネル４を時計方向または反時計方向に交互に回転させるようになっている。
【００２８】
外側ドアパネル６ａの左側縁部にはワイヤー２４の一方が接続され、このワイヤー２４の他方は図の左側に配置された巻取装置２５によって巻き取られ、常に引張方向のテンションが与えられている。一方、内側扉パネル６ｂの右縁部にも同様にワイヤー２６の一方が接続され、図の右側に配置された巻取装置２７によってワイヤー２６の他方が巻き取られ、引張方向のテンションが与えられている。
【００２９】
なお、扉パネル７は上記扉パネル６と基本的に同じ構成からなり、ワイヤー２４および巻取装置２５に対応するワイヤー２４′および巻取装置２５′と、ワイヤー２６および巻取装置２７に対応するワイヤー２６′および巻取装置２７′が備えられている。
【００３０】
反転パネル４は、図中二点鎖線で示す位置４′（０°から左に略４５°回転した位置）から位置４″（０°から右に略４５°回転した位置）の間の範囲θ（略９０°）で回動するようになっており、駆動モータ２３が駆動すると、その駆動軸に備えられた駆動プーリ２３ａと従動プーリ２３ｂとの間に円弧状に架け渡されたエンドレスベルト２８が周回（上下に）し、そのエンドレスベルト２８にクランプ２９を介して固定されている反転パネル４が回転軸５を中心として回転するようになっている。
【００３１】
なお、３０は円弧状のフレーム３１に沿って配置されエンドレスベルト２８をガイドするガイドローラであり、フレーム３１はドア装置の天井部に構築された天井フレーム３２，３６から垂下されている。
【００３２】
反転パネル４′が矢印Ｄ方向に回転するとき、反転パネル４と内側扉パネル６ｂは連結状態にあり、内側ドアパネル６ｂが外側ドアパネル６ａから引き出される。
【００３３】
反転パネル４が０°の位置に到達すると、扉パネル６は完全に拡張された状態となる。このとき、反転パネル４は内側扉パネル６ｂとの連結が解除され、今度は外側扉パネル６ａと連結される。
【００３４】
反転パネル４がさらに矢印Ｄ方向に回転すると、外側扉パネル６ａが内側扉パネル５１ｂと重なり合うようにして格納され扉パネル６が縮小する。すなわち、屋外側出入口８の左半分が開かれ、屋内側出入口９については右半分が開かれる。
【００３５】
一方、駆動モータ２３が逆転すると反転パネル４″は矢印Ｅ方向に回転し、上記した動作と逆の動作が行われる。回転する反転パネル４が位置４′に到達すると、屋外側出入口８の右半分が開かれ、屋内側出入口９については左半分が開かれる。このようにして反転パネル４を時計方向または反時計方向に交互に回転、すなわち回動させることにより、屋外側出入口８および屋内側出入口９が開閉される。
【００３６】
図３は図２のＦ−Ｆ矢視縦断面を示したものである。同図において、外側扉パネル６ａはハンガー３５を介し天井フレーム３６から延設されたレール３７上を移動するようになっており、内側扉パネル６ｂは同じくハンガー３８を介し天井フレーム３６から延設されたレール３９上を移動するようになっている。なお、４０，４１はＶ字状に配置された一対のローラであり、外側扉パネル６ａおよび内側扉パネル６ｂをそれぞれレール３７および３９上に位置決めしながら転動するようになっている。
【００３７】
また、外側扉パネル６ａおよび内側扉パネル６ｂの下部は、反転パネル４の下部プレート４２に配置されたローラ４３ａ，４３ｂにガイドされるようになっている。
【００３８】
なお、外側扉パネル６は窓枠状のフレームを構成している上框６ｃ、下框６ｄ、縦枠６ｅ，６ｅ（一方のみ図示）を有し、６ｆは上記フレームに嵌め込まれたガラスパネルである。また、図中、４４は気密性を高めるためのブラシである。
【００３９】
また、回転軸５は天井フレーム３６に設けられた上側軸受５ａと、通路に設置された下側軸受５ｂとによって回転自在に支持されている。
【００４０】
次に、上記構成を有するドア装置の動作について図４を参照しながら説明する。
【００４１】
まず、図４（ａ）において、屋内に入ろうとする通行者Ｐｏがドア装置に接近すると、図２に示した入口側センサ２０によって検知される。検知信号を受けたコントローラ２２は、モータ２３を正転させて反転パネル４を矢印Ｇ方向に回転させるとともに、内側扉パネル６ｂを側壁パネル３ａに向けて移動させ外側扉パネル６ａに収納する。なお、Ｇ方向に回転する反転パネル４の回転角は予めコントローラ２２の内部メモリに記憶されているものとし、回転角に応じたパルス信号をモータ２３に与えることによって、または回転角に応じてモータ２３の駆動をタイマ制御することによって回転限界（反転パネル４の両端部が側壁パネル３ａおよび３ｂと連絡している状態）まで回転させるものとする。
【００４２】
屋外側出入口８，屋内側出入口９が開かれると、屋外側の通行者Ｐｏ，屋内側の通行者Ｐｉはドア装置の通路２内に入ることができる。このとき、反転パネル４はその通路２を斜めに遮断している。
【００４３】
次に図４（ｂ）において、コントローラ２２は反転パネル４が矢印Ｇ方向に回転を開始してからの経過時間を内部タイマで計時しており、一定時間が経過すると、コントローラ２２はモータ２３を逆転させ、反転パネル４を矢印Ｈ方向に回転させる。
【００４４】
このとき、屋外側出入口８および屋内側出入口９が徐々に閉じられる。そして反転パネル４が通行方向と略平行になると、通行者Ｐｏは屋内側出入口９に向けて、屋内側通行者Ｐｉは屋外側出入口８に向けてそれぞれ通路２内を直進することができる（図４（ｃ）参照）。
【００４５】
反転パネル４がさらにＨ方向に回転すると、屋外側出入口８および屋内側出入口９が徐々に開かれる（図４（ｄ）参照）。
【００４６】
回転する反転パネル４が他方の回転限界（側壁パネル３ｂ側）に達すると、屋外側出入口８および屋内側出入口９がそれぞれ開かれ、通行者ＰｏおよびＰｉはドア装置を通り抜けることができる（図４（ｅ）参照）。
【００４７】
このように、通行者Ｐｏ，Ｐｉが検知された際に、反転パネル４を時計方向および反時計方向に交互に回転させることにより、通行者Ｐはドア装置の通路内を直進して通過することができる。
【００４８】
なお、通行者Ｐｏ，Ｐｉを検知していないとき、扉パネル６，７は屋外、屋内側出入口８，９を閉鎖していることが好ましいが、例えば通行量が多い場合には、反転パネル４を予め一方の回転限界まで回転させておき、出入口を開いた状態で通行者Ｐを待つように制御することもできる。
【００４９】
また、反転パネル４の一部には、手動で開閉することができる非常ドアパネルを設けることができる。反転パネル４に非常ドアパネルを設けると、非常時に避難脱出通路として機能するだけでなく、長尺物を搬入するときに開ければ、その運搬が容易に行えるようになる。
【００５０】
図５は、本発明に係るドア装置の第二実施形態を示したものであり、扉パネル６，７を有する反転パネル４を通路２内に２基配置したものである。なお、以下の説明において図４と同じ構成要素については同一符号を付してその説明を省略する。
【００５１】
この構成では図４に示した通路２に比べ通路幅が拡張されており、通路２内に設置される反転パネル４，４は、仮想線Ｘを中心軸として左右対称に開閉動作するようになっている。
【００５２】
具体的には図５（ａ）に示すように、左側の反転パネル４が矢印Ｉ方向に回転するとき、右側の反転パネル４はこれとは反対に矢印Ｊ方向に回転する。それにより、屋外側出入口８が開かれるときは屋内側出入口９は閉じられ、通路２が連通することを防止している。
【００５３】
同図（ｂ）は反転パネル４，４がそれぞれ反転を開始し（矢印Ｋ方向および矢印Ｌ方向）、内側扉パネル６ｂ，７ｂが拡張しつつある状態を示し、同図（ｃ）は反転パネル４が側壁パネル３ａ，３ｂと平行になり、扉パネル６および７が完全に拡張されて両出入口８，９が閉じられた状態を示し、同図（ｄ）はさらに反転パネル４，４が回転し、屋内側出入口９側の扉パネル７が開かれる状態を示し、同図（ｅ）は反転パネル４，４が回転限界まで回転した状態を示し、屋内側出入口９側の扉パネル７が開放され、屋外側出入口８側の扉パネル６が閉じられた状態を示している。
【００５４】
上記構成によれば、屋外側の通行者Ｐｏは、ドア装置の中央から入り、二枚の反転パネル４，４に沿って通路２を直進して通過することができ、屋内側の通行者Ｐｉはドア装置の左右両側からドア装置に入り、側壁３ａおよび３ｂに沿って通路２を直進して通過することができる。
【００５５】
なお、図５（ａ）において反転パネル４が逆Ｖ字状に位置していれば、通行者Ｐｏはドア装置の左右両側からドア装置に入り、通行者Ｐｉはその中央から入ることになる。
【００５６】
このドア装置によれば、通行量の多い出入口に設置しても通行者を迅速に通過させることができるようになる。
【００５７】
図６は、本発明に係るドア装置の第三実施形態を示したものであり、扉パネル６，７を有する反転パネル４を通路内に多数（本実施形態では３基）並べて配置したものである。
【００５８】
そのため、図５に示した通路２に比べさらに通路幅が拡張されている。
【００５９】
このドア装置は、通行者が一斉に通過する、例えば遊園地のゲートなどに設置することができる。
【００６０】
この通路２内に設置される反転パネル４も、図５に示した反転パネル４と同様に左右対称に開閉動作するようになっている。
【００６１】
具体的には図６（ａ）に示すように、左側の反転パネル４が側壁パネル３ａに当接しているとき、中央の反転パネル４はその一方（水平方向の端部）が左端の反転パネル４と当接し、他方は右側の反転パネル４と当接する。それにより、隣接する二つの反転パネル４，４において屋外側出入口８が開かれるときは屋内側出入口９は閉じられるとともに、屋外側出入口９が開かれるときは屋内側出入口８は閉じられ、各通路２，２が連通することを防止している。
【００６２】
同図（ｂ）は各反転パネル４が反転を開始し、左側の反転パネル４が矢印Ｍ方向に回転するとき、中央の反転パネル４は矢印Ｎ方向に回転し、右側の反転パネル４は矢印Ｏ方向に回転する。このとき、左側と右側の反転パネル４は、それぞれ内側扉パネル６ｂ，７ｂを拡張していき、中央の反転パネル４は外側扉パネル６ａ，７ａを拡張する。
【００６３】
同図（ｃ）は各反転パネル４が側壁パネル３ａ，３ｂと平行になり、扉パネル６および７が拡張されて両出入口８，９が閉じられた状態を示している。
【００６４】
同図（ｄ）はさらに各反転パネル４が反転し、屋外側出入口８および屋内側出入口９が開かれる状態を示している。
【００６５】
同図（ｅ）は各反転パネル４，４が回転限界に到達した状態を示し、屋外側出入口８側の扉パネル６が２箇所、屋内側出入口９側の扉パネル７が２箇所それぞれ開放される。このとき、反転パネル４は互いにＮ字状に連絡されるとともに、側壁パネル３ａおよび３ｂとも連絡され、それにより通路２は、隣接する二つの反転パネル４，４において連通することが防止されている。
【００６６】
上記構成によれば、通行者は複数箇所からドア装置に進入し、側壁パネル３ａ，３ｂまたは回転して平行になる反転パネル４に沿って直進し、通過することができるため、通行者が一斉に通過するゲートに設置しても通行者を迅速に通過させることができるようになる。
【００６７】
なお、本発明の壁体は、上記実施形態では二枚の側壁パネル３ａ，３ｂで構成したが、内壁面が通行方向に沿って平行であれば、パネルに限らず、建物の一部、例えば廊下であってもよい。
【００６８】
また、扉パネルは、上記実施形態では二枚の扉パネルを拡縮させるように構成したが、これに限らず、それ以上の枚数の扉パネルを多層に配置して拡縮させることもできる。
【００６９】
【発明の効果】
以上説明したことから明らかなように、請求項１の本発明によれば、平行する内壁面を有する通路内で反転パネルを回動させるとともに反転パネルの回転につれて扉パネルを拡縮させるように構成したため、通路における一方の出入口が開かれるときは他方の出入口を閉じられて風除効果が確保され、ドア装置に進入した通行者は内壁または反転パネルに沿って通路を直進しドア装置を通過することができる。また、通路上に構造物が存在しないため、通路を最大限、有効に利用することができる。
【００７０】
請求項２の本発明によれば、通路内に反転パネルの数だけ通路を形成することができるため、風除効果を確保したまま通行量を増加させることができる。
【００７１】
請求項３の本発明によれば、上記扉パネルを円弧状の複数のパネルで構成したため、その拡縮構造を簡素化することができる。
【００７２】
請求項４の本発明によれば、反転パネルに開閉自在なドアを備えたため、非常時等の避難脱出通路を確保することができる。また、長尺物を搬入するときに開ければ、その運搬が容易に行える。
【図面の簡単な説明】
【図１】本発明に係るドア装置の構成を示す平面図である。
【図２】図１のドア装置の駆動機構を示す平面図である。
【図３】図２のＦ−Ｆ矢視縦断面図である。
【図４】（ａ）〜（ｅ）は図１に示すドア装置の動作を示す説明図である。
【図５】（ａ）〜（ｅ）は本発明の第二実施形態の動作を示す説明図である。
【図６】（ａ）〜（ｅ）は本発明の第三実施形態の動作を示す説明図である。
【符号の説明】
１ａ，１ｂ  外壁
２  通路
３ａ，３ｂ  側壁パネル
４  反転パネル
５  回転軸
６，７  扉パネル
６ａ，７ａ  外側ドアパネル
６ｂ，７ｂ  内側ドアパネル
８  屋外側出入口
９  屋内側出入口
１０  ゴムスイッチ
２０，２１  センサ
２２  コントローラ
２３  モータ
２４，２６  ワイヤー
２５，２７  巻取装置
【図１】
2004183300.tif 000003
【図２】
2004183300.tif 000004
【図３】
2004183300.tif 000005
【図４】
2004183300.tif 000006
【図５】
2004183300.tif 000007
【図６】
2004183300.tif 000008